(57)【特許請求の範囲】
【請求項１】
眼レンズの保管用パッケージで、当該パッケージは容器を含み、当該容器は、流体及び眼レンズを含む少なくとも１つの第１空洞部と、その第１空洞部又は各第１空洞部から流体を除去するための第２空洞部とを含み、その第２空洞部は第１空洞部又は各第１空洞部と連通しており、それぞれの空洞部は開口部を有し、その第１空洞部又は各第１空洞部の開口部の断面積は第２空洞部のそれより大きく、その開口部は剥離可能なフィルムでシールされているパッケージ。
【請求項２】
その第２空洞部が、第１空洞部又は各第１空洞部と横方向において間隔をおいて配置されている請求項１記載のパッケージ。
【請求項３】
その容器が、多くとも２つの第１空洞部を含む請求項１または請求項２記載のパッケージ。
【請求項４】
その開口部が、容器の同じ面側にある前記請求項のいずれかの項に記載のパッケージ。
【請求項５】
その開口部がシールされないときでもその空洞部が流体を保持可能である前記請求項のいずれかの項に記載のパッケージ。
【請求項６】
その開口部がシールされるときにその空洞部が密閉系を形成する前記請求項のいずれかの項に記載のパッケージ。
【請求項７】
その第１空洞部又は各第１空洞部は上部及び下部を含む内壁を有しており、少なくとも内壁の下部は凹形である前記請求項のいずれかの項に記載のパッケージ。
【請求項８】
その下部の曲率半径はその上部の曲率半径より大きい請求項７記載のパッケージ。
【請求項９】
その下部の曲率半径が９ｍｍから３５ｍｍの間にある請求項８記載のパッケージ。
【請求項１０】
その上部の曲率半径は、第１空洞部又は各第１空洞部の最大直径が１５ｍｍから３０ｍｍの間となるような大きさである請求項８又は請求項９記載のパッケージ。
【請求項１１】
その第１空洞部又は各第１空洞部の深さが６ｍｍから１２ｍｍの間にある前記請求項のいずれかの項に記載のパッケージ。
【請求項１２】
その溝部が第１空洞部又は各第１空洞部と第２空洞部との間の連通を与えている前記請求項のいずれかの項に記載のパッケージ。
【請求項１３】
その第１空洞部又は各第１空洞部の直径が少なくとも１５ｍｍであり、その溝部又は各溝部がその第１空洞部又は各第１空洞部とつながっている請求項１２記載のパッケージ。
【請求項１４】
その第２空洞部の深さが第１空洞部又は各第１空洞部の深さと実質上同じである請求項１３記載のパッケージ。
【請求項１５】
その溝部又は各溝部の底が、第１空洞部又は各第１空洞部から第２空洞部へ下方に傾斜している請求項１４記載のパッケージ。
【請求項１６】
その溝部又は各溝部の側壁がカーブしている請求項１２乃至１５のいずれかの項に記載のパッケージ。
【請求項１７】
その溝部又は各溝部の側壁がまっすぐである請求項１２乃至１５のいずれかの項に記載のパッケージ。
【請求項１８】
その溝部又は各溝部の少なくとも一部の幅が、第２空洞部の幅より小さい請求項１６又は１７記載のパッケージ。
【請求項１９】
その溝部又は各溝部の少なくとも一部の幅が、第２空洞部の幅とほとんど等しい請求項１６又は１７記載のパッケージ。
【請求項２０】
その溝部又は各溝部の最小幅が３ｍｍから６ｍｍの間である請求項１２乃至１９のいずれかの項に記載のパッケージ。
【請求項２１】
その容器が空洞部を取り囲むフランジを含んでいる前記請求項のいずれかの項に記載のパッケージ。
【請求項２２】
そのフランジが指又は親指のタブを含んでいる請求項２１記載のパッケージ。
【請求項２３】
そのフランジが１以上のグリップを含んでいる請求項２１又は請求項２２記載のパッケージ。
【請求項２４】
そのグリップが指又は親指のタブ上に設けられている請求項２３記載のパッケージ。
【請求項２５】
そのグリップが指又は親指のタブの両側の上に設けられている請求項２４記載のパッケージ。
【請求項２６】
その第１空洞部又は各第１空洞部の外壁上に保護リングを含んでいる前記請求項のいずれかの項に記載のパッケージ。
【請求項２７】
第１空洞部又は各第１空洞部の内壁がメニスカスコントロール手段を含んでいる前記請求項のいずれかの項に記載のパッケージ。
【請求項２８】
複数の眼レンズの保管用マルチパックで、当該マルチパックは複数の容器を含み、それぞれの容器は、流体及び眼レンズを含む少なくとも１つの第１空洞部と、その第１空洞部又は各第１空洞部から流体を除去するための第２空洞部とを含み、その第２空洞部は第１空洞部又は各第１空洞部と連通しており、それぞれの空洞部は開口部を有し、その第１空洞部又は各第１空洞部の開口部の断面積は第２空洞部のそれより大きく、容器の開口部は剥離可能なフィルムでシールされているマルチパック。
【請求項２９】
それぞれの容器が請求項２乃至２７のいずれかの項で特徴づけられた請求項２８記載のマルチパック。
【発明の詳細な説明】
【０００１】
本発明は容器 (container) に関し、特に眼レンズ(ophthalmic lens)用容器、とりわけ親水性又は“ソフト”コンタクトレンズ用容器に関する。
【０００２】
ソフトコンタクトレンズを保管、運搬及び小分けするためのパッケージとしては、空洞部（cavity）（キャビティー）を持った容器があり、その空洞部内では塩性溶液中にコンタクトレンズが収容されている。
【０００３】
EP-A-0 223 581ではそのようなパッケージが記載されている。空洞部の底部(base)はレンズを取り出しやすくするために傾斜面を有している。
【０００４】
EP-A-0 604 177でもそのようなパッケージが記載されている。その空洞部の底部は凹形であってレンズの曲率半径よりも大きな曲率半径を有しているが、その底部の最も低い位置ではレンズを位置決めし即ちレンズを中央に配置させるために充分に小さくなっている。
【０００５】
ソフトコンタクトレンズは一般には成形 (moulding)によって製造される。成形後、コンタクトレンズは種々の水和、洗浄及びコンディショニング(conditioning) 工程にかけられる。レンズの処理を最小限にするために、レンズが最終のパッケージに入れられている間、すなわち、レンズが容器に入れられている間に、これらの工程が行われるのが望ましい。しかしながら、レンズを損傷させずに、処理流体(fluid)を容器に導入し、かつ容器から除去することが必要である。
【０００６】
流体は、レンズが収容されている空洞部に、上向きになったレンズの中心部に流体を注ぎ、流体を空洞部内であふれさせることによって導入することができる。（コンタクトレンズは通常凹凸であり、本明細書では、レンズの凹面が一番上にあるとき、レンズは「上向き」として記載される。）この流体の導入方法は、レンズへの損傷を回避し、空洞部の底部にレンズを位置させ、レンズが流体中で浮くことを防ぐという利点を持っている。
【０００７】
しかしながら、流体を除去する上でレンズへの損傷を避けることは大変難しく、特に空洞部の最大直径がレンズの直径よりも著しく大きくない場合は難しい。これは、たいてい、製造コストや生産時間を最小限にするために、また使用者がレンズを抜き取りやすくするために、空洞部のサイズを最小限にすることが望ましいような場合である。
【０００８】
EP-A-0 618 063では、レンズを含む容器から流体を除去するためのノズルが記載されている。ノズルは、流体入口通路(entrance passage)と、少なくとも１つの流体出口通路(exit passage)とを含む。ノズルは容器と接してシールされている。浄化流体は、容器中の流体が流体出口通路を通して押し出されるように、流体入口通路を通して容器に導入される。流体入口通路と流体出口通路とは、流体の流れがレンズの中心軸に対して対称的となるように配列されており、レンズが中心から動くのを防いでいる。
【０００９】
本発明の目的は、レンズを収容している空洞部から流体を除去する際に、レンズの損傷を最小限にする又は防止する容器を提供することにある。
【００１０】
本発明は、眼レンズを収納するための多くとも２つの第１空洞部と、その第１空洞部又は各第１空洞部（the or each first cavity）から流体を除去するための第２空洞部とを含み、その第２空洞部は第１空洞部又は各第１空洞部と横方向において間隔をおいて配置されかつ連通しており、それぞれの空洞部は容器の同じ面側で開口部を有している容器を提供する。
【００１１】
流体除去は、第２空洞部内に、上又は下のいずれかから、流体除去装置を挿入することにより行われ、その装置を通して流体を回収する。第２空洞部にその装置を挿入しているので、その装置とレンズ又は各レンズとの接触は避けられ、レンズの損傷の可能性が低減されている。第２空洞部はまた、水和、洗浄又はコンディショニング工程で用いられる他の装置、例えば、流体を撹拌するための超音波プローブ (an ultrasonic probe)、流体加熱装置、または流体のレベル（level）を測定するための装置に適応するように用いられてもよいと認識される。
【００１２】
さらに本発明は、眼レンズを収納するための多くとも２つの第１空洞部と、その第１空洞部又は各第１空洞部から流体を除去するための第２空洞部とを含み、その第２空洞部は第１空洞部又は各第１空洞部と横方向において間隔をおいて配置されかつ連通しており、それぞれの空洞部は開口部を有し、その開口部がシールされないときでもその空洞部が流体を保持可能である容器を提供する。
【００１３】
さらに本発明は、眼レンズを収納するための多くとも２つの第１空洞部と、その第１空洞部又は各第１空洞部から流体を除去するための第２空洞部とを含み、その第２空洞部は第１空洞部又は各第１空洞部と横方向において間隔をおいて配置されかつ連通しており、それぞれの空洞部は開口部を有し、その開口部がシールされるときにその空洞部が密閉系（closed system）を形成する容器を提供する。
【００１４】
さらに本発明は、眼レンズを収納するための少なくとも１つの第１空洞部と、その第１空洞部又は各第１空洞部から流体を除去するための第２空洞部とを含み、その第２空洞部は第１空洞部又は各第１空洞部と横方向において間隔をおいて配置されかつ連通しており、それぞれの空洞部は容器の一面側に開口部を有し、その第１空洞部又は各第１空洞部の開口部の断面積の領域が第２空洞部のそれより大きい容器を提供する。
【００１５】
ソフトコンタクトレンズは、水和、洗浄及びコンディショニング工程と同様に検査工程にかけられる。検査工程では照明光をレンズに透過させる。そして、その光はスクリーン上にレンズのイメージ(image)が生じるように焦点が合わせられる。そのイメージは、そのレンズが消費者の使用にとって受け入れられない異常が含まれているかどうかを決定するために（目視又は自動化により）検査される。
【００１６】
レンズの処理を最小限にするために、レンズが本容器に入れられている間に検査工程を行うことが望ましい。しかしながら、このような場合、本容器が照明光上で持つ影響を最小限にするために、第１空洞部の底部の光学的パワー(optical power)を最小限にすることが重要である。第１空洞部の底部が平面であるとき、光学的パワーはゼロ (zero)である。しかしながら、レンズが確実に中心部に位置するように、底部は曲率を有していることが望ましい。従って、少なくとも、その第１空洞部又は各第１空洞部の内壁(inner wall)の下部は凹形であることが好ましい。
【００１７】
さらに本発明は、眼レンズを収納するための少なくとも１つの第１空洞部と、その第１空洞部又は各第１空洞部から流体を除去するための第２空洞部とを含み、その第２空洞部は第１空洞部又は各第１空洞部と連通している容器であり、少なくとも、第１空洞部又は各第１空洞部の内壁の下部は凹形である容器を提供する。
【００１８】
好ましくは、その第２空洞部が、その第１空洞部又は各第１空洞部と横方向において間隔をおいて配置されている。
【００１９】
第１空洞部又は各第１空洞部の内壁の下部が湾曲している場合、当該空洞部の底部の光学的パワーを最小限にするために、その下部の曲率半径を最大にすることが望ましい。しかしながら、第１空洞部の内壁全体の曲率半径が、レンズを中心に位置せしめるのに充分なものであれば、第１空洞部はレンズを覆うのに充分な流体を含むように非常に大きくなければならない。従って、その第１空洞部又は各第１空洞部の内壁が上部と下部とを含み、その下部の曲率半径がその上部の曲率半径より大きいことが有利である。これにより、第１空洞部が、低い光学的パワーの底部を備えることになる一方、レンズを覆うのに充分な流体を含むことになる。
【００２０】
好ましくは、その下部の曲率半径が９ｍｍから３５ｍｍの間にある。下部の曲率半径が９ｍｍより小さいと、そのレンズはその中心が下部の中心に接するように位置しない。その曲率半径が３５ｍｍより大きいと、そのレンズは中心に位置することができない。
【００２１】
好ましくは、その上部の曲率半径は、その第１空洞部又は各第１空洞部の最大直径が１５ｍｍから３０ｍｍの間となるような大きさである。その直径が当該範囲内であると、パッケージのサイズを最小限にしても、洗浄するために充分な容積を有している。
【００２２】
好ましくは、その第１空洞部又は各第１空洞部の深さが６ｍｍから１２ｍｍの間にある。この範囲内の深さであると、使用者にとって浅い空洞部の便利さを与える一方で、レンズ全体が溶液で覆われることは確実となる。
【００２３】
好ましくは、その溝部(channel)が、その第１空洞部又は各第１空洞部と第２空洞部との間の連通を与えている。
【００２４】
流体の除去効率は、第１空洞部又は各第１空洞部、第２空洞部、および溝部がすべて同じ深さである場合、最も大きくなる。しかしながら、この場合で、しかも第１空洞部の内壁が凹形である場合、その溝部の壁は第１空洞部の中心部にまで及ぶようになる。
【００２５】
溝部の壁が第１空洞部内にまで広がると、それらの上端部の非連続性により、当該空洞部の底部を通して伝わる照明光を屈折させる。そのような屈折は、検査されたレンズの異常によるものとして分析することができる。特に、第１空洞部の最大直径がレンズの直径よりも著しく大きくない場合である。
【００２６】
従って、好ましくは、その第１空洞部又は各第１空洞部の直径が少なくとも１５ｍｍであり、その溝部又は各溝部の底がその第１空洞部又は各第１空洞部とつながっている。この直径は、コンタクトレンズの最大直径よりも少しだけ大きい。そのため検査工程の間でレンズのイメージに障害を生じさせるほど、溝部の壁が第１空洞部内に充分に遠くまで広がっていない。
【００２７】
その第２空洞部はいかなる深さであってもよい。しかしながら、好ましくは、その第２空洞部の深さがその第１空洞部又は各第１空洞部の深さと実質上同じである。
【００２８】
その溝部の底が第１空洞部とつながっている場合の第１空洞部の直径が上に記載されている如きであり、かつ第１空洞部の内壁が凹形であるときには、第１空洞部とつながっている溝部の深さは、第１空洞部の深さよりも小さくなければならない。第１空洞部とつながっているところの溝部の深さは第１空洞部の深さよりも小さいことが有利であるが、その溝部の残りの部分（rest）はいかなる深さであってもよく、例えば、その溝部が第１空洞部とつながっているところと同じ深さであってもよい。しかしながら、その溝部又は各溝部の底が、その第１空洞部又は各第１空洞部から第２空洞部へ下方に傾斜していることが好ましい。
【００２９】
ある態様では、その溝部又は各溝部の側壁がカーブしている。他の態様では、その溝部又は各溝部の側壁がまっすぐである。
【００３０】
その溝部又は各溝部の少なくとも一部の幅が、その第２空洞部の幅より小さくてもよい。例えば、溝部の側壁がカーブしている場合は、その溝部の長さに沿って中途で絞られていてもよい。一方、溝部の側壁がまっすぐである場合、その溝部が第２空洞部よりも狭くなっていてもよく、かかる場合は溝部の全長に沿って絞り（収縮）を与えることになる。
【００３１】
その溝部又は各溝部の少なくとも一部の幅が、その第２空洞部の幅とほとんど等しくてもよい。例えば、その溝部の側壁がまっすぐで、第２空洞部と同じ幅であってもよく、かかる場合、その溝部を通る流体の速度を最小限にし、レンズがその溝部内に引っ張られる可能性を低減することができる。
【００３２】
好ましくは、その溝部又は各溝部の最小幅が、３ｍｍから６ｍｍの間である。この範囲内の幅は、流体除去装置が稼働中のとき、第１と第２空洞部との間で流体が十分に速く流れるためには全く充分である一方、その工程中又はその工程後にレンズがその溝部内に押し込まることを避けることができる。
【００３３】
第２空洞部は、流体除去装置を受け入れるのに充分な幅であればいかなる直径であってもよい。好適には、第２空洞部の直径は、本容器のサイズを最小限にするためにできるかぎり小さいことが好ましく、これにより製造コストを最小限にすることができる。
【００３４】
好ましくは、本容器は、その空洞部を取り囲むフランジを含んでいる。当該フランジは、使用者がパッケージを開けるのに便利なグリップ（grip）となり、また、レンズが取扱い及び検査をされて、塩性溶液に収容され、使用の準備ができると、第１と第２空洞部用のカバーにシールをするための面となる。レンズに接するために、使用者はパッケージのカバーをはぎ取る。
【００３５】
そのフランジが指(finger)又は親指(thumb)のタブ(tab)を含んでいることが有利である。これは、指又は親指を受け入れるように適合されたフランジの窪み部分である。指又は親指のタブは、使用者に対して強化グリップとなり、特に、パッケージが湿った環境下で開けられたとき有益となる。好適には、親指のタブの深さは、本容器を支持するような深さである。これにより、本容器の安定性が改善される。
【００３６】
これに代わって或いはこれに加えて、そのフランジが１以上のグリップを含んでいてもよい。当該グリップは、滑りに対して抵抗を与え、また、特にパッケージが湿った環境内で開けられたとき有益である。好適には、そのグリップは指又は親指のタブ上に設けられている。そのグリップは指又は親指のタブの両側の上に設けられていることが有利である。
【００３７】
好ましくは、本容器は、その第１空洞部又は各第１空洞部の外壁上に保護リング(protector ring)を含んでいる。第１空洞部の外壁にどんな損傷があっても検査工程に影響を及ぼすであろう。保護リングはそのような損傷を低減する。保護リングの自由端は、実質上平面であることが有利である。保護リングは、本容器が静止する様に平面を与えることで当該容器の安定性を改善している。
【００３８】
本容器はプラスチック材料であることが有利である。本容器は射出成形や熱成形により製造し得る。例えば、プラスチック材料は、ポリエチレン、ポリプロピレン、またはポリスチレンであってもよい。選択されたプラスチック材料のタイプ又はグレードによって、容器は、不透明、透明、特に、前記のように本容器内のレンズの検査を望ましくするために、透明とすることができる。本容器は、機能に応じて本容器の内面及び外面を効果的にするように、１つの材料または多層材料からつくられてもよい。
【００３９】
好ましくは、その第１空洞部又は各第１空洞部の内壁がメニスカスコントロール手段(meniscus control means)を含んでいる。このメニスカスコントロール手段は、第１空洞部の内壁と第１空洞部内の流体との間の表面張力の作用を変化させて、流体のメニスカスが検査工程で障害となることを防止する。このメニスカスコントロール手段は、第１空洞部の内壁の表面における変更を含んでいる。例えば、火炎(flame)、コロナ(corona)又は化学的処理による表面処理、表面の組織（構造）の変更や、表面での幾何学的パターンが含まれる。
【００４０】
本発明は、また、容器を含む眼レンズ用パッケージであって、
当該容器は、眼レンズを収納するための少なくとも１つの第１空洞部と、その第１空洞部又は各第１空洞部から流体を除去するための第２空洞部とを含み、その第２空洞部は第１空洞部又は各第１空洞部と連通しており、それぞれの空洞部は開口部を有し、その開口部は剥離可能なフィルムでシールされているパッケージを提供する。
【００４１】
さらに本発明は、複数の容器を含む複数の眼レンズの収納用マルチパック(multi-pack)であって、それぞれの容器が、眼レンズを収納するための少なくとも１つの第１空洞部と、その第１空洞部又は各第１空洞部から流体を除去するための第２空洞部とを含み、その第２空洞部は第１空洞部又は各第１空洞部と連通しており、それぞれの空洞部は開口部を有し、その他の容器の開口部は剥離可能なフィルムでシールされているマルチパックが提供される。
【００４２】
このマルチパックは、例えば、１日使い捨てレンズの１週間供給用に７つの容器を含んでいてもよい。
【００４３】
さらに本発明は、眼レンズの検査、工程及び収納のための容器の用途（使用方法）であって、その容器は、眼レンズを収納するための少なくとも１つの第１空洞部と、その第１空洞部又は各第１空洞部から流体を除去するための第２空洞部とを含み、その第２空洞部は第１空洞部又は各第１空洞部と連通している容器の用途（使用方法）が提供される。
【００４４】
実施例のみによって、本発明の態様を次の図面を参照してより詳細に述べる。
【００４５】
図１は本発明に従って構成された第１の容器の等角図を示している。
図２は図１の容器の平面図を示している。
図３は図２のＡ−Ａ線の断面図を示している。
図４は図２のＢ−Ｂ線の断面図を示している。
図５は本発明に従って構成された第２の容器の等角図を示している。
図６は本発明に従って構成された第３の容器の細部の平面図を示している。
【００４６】
さらに特に、図１から４に関連して、一般的に参照数字１で示される容器は、ソフトコンタクトレンズを収納するための第１円形状空洞部２を含んでいる。第１空洞部２は複合の半径から構成されており、上部３と下部４とを含んでいる。
【００４７】
容器１は、また、第２の長円形状空洞部５、および当該第２空洞部５を第１空洞部２とをつなぐ溝部６も含んでいる。第２空洞部５の深さは、第１空洞部２の最大深さと同じである。溝部６は第１空洞部２の上部３のみ及んでおり、溝部６の底半分は第１空洞部２から第２空洞部５へ下方に傾斜している。溝部６の側壁はまっすぐで、溝部６は第２空洞部５よりも狭くなっている。
【００４８】
さらに、容器１は、一般的に参照数字７で示されるフランジを含んでおり、当該フランジは、第１空洞部２及び第２空洞部５の周囲において立ち上がったシーリングリム(sealing rim)８と、当該フランジ７の周囲において直立したアウターリム(outer rim)９とを含んでいる。容器１は、また、複数のリブ１１を有する窪み親指タブ１０、および第１空洞部２の下にある保護リング１２も含んでいる。フィルム（図示せず）は、気密シールされたブリスターパッケージ(blister package)を形成するために、シーリングリム８にヒートシールしてもよい。リム９はフランジ部７の端を強化しており、自動化された取扱いにおいてパッケージを保護しつつ、容器の残部に薄い材料の使用を許容している。親指タブ１０は消費者のためにグリップを与えている。リブ（グリップ）１１は親指タブ１０の上面及び下面に設けられている。この２セットのリブが、使用者に対して、タブに設けられたグリップを改良しており、下方リブは保護リング１２の平面の自由端とともに、容器の保管及び運搬のための平面安定手段(a flat and stable means)となっている。
【００４９】
本容器のリム９及びその他の部分は、丸みの付けられた端を有しているため、運搬を容易にし、また自動化処理において押しつぶしたり又は突っ張ったりすることを低減する。本容器１は、電子ビジョンシステム(electronic vision system)用のインデックスマーク(index marks)を含んでいてもよく、また、ラベル化又は他のコード化が行われていてもよい。
【００５０】
さらに特に、図５に関して、第１の態様のものに対応する部分は同一の参照数字で示されており、参照数字２１で一般的に示される第２の容器は、空洞部２及び５、連結溝部６、シーリングリム８及び保護リング１２を、容器１のものと同様に有している。アウターリム２９及びフランジ２７は、容器１に対応する特徴とは異なった形状としているが、そのフランジは第１空洞部２の中心部付近の位置から徐々に狭くなっており、アウターリム２９は、これに対応して前記位置からカーブしており、そのフランジは、リム２９が終結している末端で凹部２８をなして終結している。平らな親指タブ３０は凹部２８から下に傾斜しており、タブ３０の自由端３１は保護リング１２の端と同じレベル(level)である。
【００５１】
さらに特に、図６に関し、そこには第２空洞部６１と、第１空洞部２に隣接する部分を含む第３の容器の一部が平面図で示されている。この態様では、溝部６２と空洞部６１は同一の幅であり、溝部６２の底部（図示せず）は、第１の態様で参照された図３で示されているように、第１空洞部２から第２空洞部６１へ下に傾斜している。この広い幅の溝部は、第１及び第２の態様のものと比較すると、流体が所定割合で除去されるとき、溝部を通過する流体速度を低くするもので、それによって、レンズが溝部内に引っ張られる可能性を低減する。
【００５２】
代表的な容器の寸法は、例えば、おおよそ次のようであってもよい。
容器１の高さ                                  １１ｍｍ
第１空洞部２の最大の深さ                        ７ｍｍ
上部３の曲率半径                                ９ｍｍ
下部４の曲率半径                              ２５ｍｍ
上部３の最大直径                              ２２ｍｍ
第２空洞部５の深さ                              ７ｍｍ
第２空洞部の最大直径                            ６ｍｍ
溝部６の深さ                                ５．５ｍｍ
溝部６の最小幅                                  ５ｍｍ
溝部６に連結する第１空洞部２の直径            １８ｍｍ
第１空洞部２は約２ｍｌの流体を保持する。
【図１】
0004386569.tif 000002
【図２】
0004386569.tif 000003
【図３】
0004386569.tif 000004
【図４】
0004386569.tif 000005
【図５】
0004386569.tif 000006
【図６】
0004386569.tif 000007